(57)【特許請求の範囲】
【請求項１】
正面から見て下に固定ブラシ台、上に可動ブラシ台、前に前リンク、後に後リンクを平行四辺形のリンク状に配置して、上下のブラシを対向して配置し、清掃対象物の大きさに合わせて可動ブラシ台をグリップにて前後に操作できるように、後リンクとグリップを後尾リンクで接続してあり、グリップを前後に操作して清掃対象物を挟んでから、グリップと固定ブラシ台を合わせて固定できることを特徴とする内外両面清掃ブラシ。
【請求項２】
後リンクを固定ブラシ台から外し、上のブラシを下に回転させてから後リンクを固定ブラシ台に取り付けて、グリップを前後に操作してから、グリップと固定ブラシ台を合わせて固定できることを特徴とする請求項１記載の内外両面清掃ブラシ。
【発明の詳細な説明】
【技術分野】
【０００１】
本発明は、汚れを落とす時に用いるブラシにおいて、筒、パイプ、蛇腹ホース等の主に表面の汚れを落とすための内外両面清掃ブラシに関するものである。
【背景技術】
【０００２】
従来の汚れを落とす時に用いるブラシには、ホルダ−より２叉状に延設した両ア−ムの間には平行の両回転軸をそれぞれ回転自由に軸架し、両回転軸の外周には両回転軸の間で先端が接近するように剛性のブラシをらせん状にそれぞれ植着し、両回転軸の間に櫛を挿入して櫛歯の間に詰まったごみを除去可能に構成したことを特徴とする櫛掃除用ブラシがある（例えば、特許文献１参照。）。
【０００３】
また、それぞれ対称に形成した一対の作動杆の一端に指環部を設け、他端にはブラシを植毛したブラシ部を一体または着脱可能に形成すると共に、該作動杆の略先方を枢動可能に軸支したことを特徴とする歯ブラシがある（例えば、特許文献２参照。）。
【０００４】
以下、従来の特許文献について説明する。特許文献１の櫛掃除用ブラシでは、二個のブラシの間隔がアームにより固定されているので清掃対象物が大きくなった時に対応し難い。
【０００５】
特許文献２の歯ブラシでは、二個のブラシを開閉した時に、二個のブラシの角度が変化するので、ブラシを前後に動かせて清掃対象物を清掃する時には、角度が大きくなればなるほどブラシを前後する都度に二個のブラシを開閉しなければならないので面倒である。
【先行技術文献】
【特許文献】
【０００６】
【特許文献１】実登３００７０１０号公報（第２頁、請求項１）
【特許文献２】特開２０００−１２５９４０号公報（第２頁、請求項１）
【発明の概要】
【発明が解決しようとする課題】
【０００７】
解決しようとする問題点は、特許文献１では二個のブラシの間隔がアームにより固定されているので清掃対象物が大きくなった時に対応し難いこと。
【０００８】
特許文献２では、二個のブラシを開閉した時に二個のブラシの角度が変化するので、ブラシを前後に動かせて清掃対象物を清掃する時に、清掃対象物が大きくて二個のブラシの角度が大きくなれば、ブラシを前後する都度に二個のブラシを開閉しなければならないので厄介である点である。
【課題を解決するための手段】
【０００９】
本発明は、平行四辺形のリンク上下をブラシ台とし、上下のブラシを対向して配置し、平行四辺形のリンクを前後に操作することにより、清掃対象物の大きさに合わせてブラシの間隔を変え、清掃対象物の上下両面をブラシを平行に保ったまま清掃できる。また、上下のブラシの間隔より大きな清掃対象物の時には、上のブラシを下に回転させることにより上下のブラシが外向して、片面ではあるが大きな清掃対象物の清掃ができる。さらに、平行四辺形のリンクを前後に操作することによりブラシの間隔を調整して、ブラシの届く範囲の清掃対象物の内側両面の清掃も出来ることを最も主要な特徴とする。
【発明の効果】
【００１０】
本発明の内外両面清掃ブラシは、上下のブラシが平行を保ちつつ、清掃対象物の大きさに合わせてブラシの間隔を変えることができるので、清掃対象物の大きさが変わっても対応可能で、二個のブラシの角度が変わらないのでブラシを前後する都度に二個のブラシを開閉することもなく、さらに、上下のブラシの間隔より大きな清掃対象物の時には、上のブラシを下に回転させることにより、上下のブラシが外向して大きな清掃対象物の片側清掃ができる。また、平行四辺形のリンクを前後に操作することにより、ブラシの届く範囲の清掃対象物の内側両面の清掃も出来るという利点がある。
【図面の簡単な説明】
【００１１】
【図１】図１は蛇腹ホースが上下のブラシ間にあり、固定ブラシ台すべり止めＵとグリップすべり止めＤが重なっている例の斜視図である。
【図２】図２Ａは大径の蛇腹ホースを上下のブラシ間に挟んだ例の正面図であり、図２Ｂは小径の蛇腹ホースを上下のブラシ間に挟むため、図２Ａよりグリップを前方に移動させた例の正面図である。
【図３】図３Ｃはグリップを持ち上げ可動ブラシ台を固定ブラシ台の下に回転しつつある例の正面図であり、図３Ｄは図３Ｃの回転が完了した後にグリップを前方に移動させた例の正面図である。
【発明を実施するための形態】
【００１２】
二個のブラシを用いるブラシにおいて、ブラシの間隔が変わらないタイプのものとか、ブラシの角度が変わるタイプのものにおいて、清掃対象物の清掃がし難いという事を防ぐ目的を、平行四辺形のリンク上下をブラシ台とし、上下のブラシを対向して配置し、平行四辺形のリンクを前後に操作することにより、清掃対象物の大きさに合わせてブラシを平行に保ちつつ間隔を変えることができ、さらに、上下のブラシの間隔より大きな清掃対象物の時には、上のブラシを下に回転させることにより上下のブラシが外向して大きな清掃対象物の片側清掃ができる事で実現した。
【００１３】
以下に本発明の実施形態を、図面を参照しながら具体的に説明するがこの実施形態に限定されるものではない。図１は、は蛇腹ホース７が上下のブラシ間にあり、固定ブラシ台すべり止めＵ２２とグリップすべり止めＤ６２が重なっている例の斜視図であって、固定ブラシ台すべり止めＤ２３とグリップすべり止めＵ６１を握れば、固定ブラシ台２とグリップ６は固定される。なお、図では省略するが固定ブラシ台２とグリップ６の動きを止めるためのロック装置を設けてもよい。
【００１４】
図２Ａは、大径の蛇腹ホース７を上下のブラシ間に挟んだ例の正面図であって、固定ブラシ台毛２１と可動ブラシ台毛３１の間隔が最大となり、蛇腹の凹凸に沿ってブラシを前後することにより大径の蛇腹ホース７の外側の上下両面を清掃できる。
【００１５】
図２Ｂは、小径の蛇腹ホース７を上下のブラシ間に挟むため、図２Ａよりグリップ６を前方に移動させた例の正面図であって、固定ブラシ台毛２１と可動ブラシ台毛３１の間隔が少なくなり、蛇腹の凹凸に沿ってブラシを前後することにより小径の蛇腹ホース７の外側の上下両面を清掃できる。
【００１６】
図３Ｃは、グリップ６を持ち上げ可動ブラシ台３を固定ブラシ台２の下に回転しつつある例の正面図であって、通常は脱着用凹部３７には脱着用凸部５３が回動可能に挿入してあるが、脱着ボタン５を押せば脱着ボタンスプリング５１がたわみ、脱着用凸部５３が内側に移動して、後リンク３４を固定ブラシ台２から外して可動ブラシ台３を回転することができる。回転を進めて脱着ボタン５を操作して脱着用凹部３７に脱着用凸部５３を挿入して固定ブラシ台２とグリップ６のすべり止めを握れば、上下のブラシは外向きに固定されてより大きな清掃対象物の片側清掃もできる。
【００１７】
図３Ｄは、図３Ｃの回転が完了した後にグリップ６を前方に移動させた例の正面図であって、ブラシが届く範囲で外向きブラシ用清掃対象物７１の内側サイズが変わっても内側両面を清掃できる。なお、上下のブラシが外向きに固定されているのでより大きな清掃対象物の内外の片面清掃もできる。
【００１８】
このようにして作成された内外両面清掃ブラシは、対向する固定ブラシ台２と可動ブラシ台３が平行でかつ、間隔を変える事が出来て、上下のブラシを外向きに固定することもできるので、二個のブラシの間隔がアームにより固定されているタイプのブラシでは、清掃対象物が大きくなった時に対応し難いこと、二個のブラシを開閉した時に二個のブラシの角度が変化するタイプのブラシでは、清掃対象物が大きくて二個のブラシの角度が大きくなった時、ブラシを前後する都度に二個のブラシを開閉しなければならないので厄介であるという問題点を解消できる。
【符号の説明】
【００１９】
１    本体
２    固定ブラシ台
２１  固定ブラシ台毛
２２  固定ブラシ台すべり止めＵ
２３  固定ブラシ台すべり止めＤ
２４  脱着ボタン穴
２５  脱着用凸部穴
３    可動ブラシ台
３１  可動ブラシ台毛
３２  前リンクＲ
３３  前リンクＬ
３４  後リンク
３５  後尾リンク
３６  後リンクストッパ
３７  脱着用凹部
４１  前リンクピンＵ
４２  前リンクピンＤ
４３  後リンクピンＵ
４４  後リンクピンＭ
４５  後尾リンクピン
５    脱着ボタン
５１  脱着ボタンスプリング
５２  脱着ボタンスプリング止め
５３  脱着用凸部
６    グリップ
６１  グリップすべり止めＵ
６２  グリップすべり止めＤ
６３  位置決めＡ
６４  位置決めＢ
６５  位置決めＣ
６６  位置決めＤ
７    蛇腹ホース
７１  外向きブラシ用清掃対象物
【要約】
【課題】従来の二個のブラシを持つブラシには、ブラシ間隔が固定する物とかブラシ角度が変化する物があり、大きい清掃対象物への対応が困難であるという問題点があった。本発明は、上記のような問題点を解決することを課題とするものである。
【解決手段】本発明は、正面から見て平行四辺形のリンク上下を対向するブラシ台とし、リンクを前後に操作することにより、ブラシを平行に保ったまま間隔を変えて清掃対象物の上下両面を清掃し、さらに、上のブラシを下に回転させることにより上下のブラシが外向して、ブラシの届く範囲の清掃対象物の内側両面や、片面ではあるが大きな清掃対象物の清掃も出来ることで目的を達することを特徴とするものである。
【選択図】図１【図１】
0005594857.tif 000002
【図２】
0005594857.tif 000003
【図３】
0005594857.tif 000004